(57)【特許請求の範囲】
【請求項１】
第１端部、前記第１端部に対向する第２端部、及びクレビス(226)に係脱可能に係合するように構成された係合部材(224)を前記第２端部に有する本体(211)と、
第１端部及び前記第１端部に対向する第２端部を有するハンドル(212)と、
ピン(225)を介してハンドル(212)に取り付けられ、トリガスプリング(218)が巻回されたピン(216)を有するトリガ(214)と、を含み、
前記ハンドル(212)は、その第１端部が、本体(211)の第１端部に回転可能に取り付けられ、ハンドル(212)が本体(211)に取外し可能に保持される閉位置と、ハンドル(212)が本体(211)から引き込められた開位置との間で移動可能であり、
前記トリガ(214)は、キー(222)を収容できるサイズ及び形状であるソケットを有する駆動部(220)を含み、
前記キー(222)は、ハンドル(212)をロックできるよう構成されたトリガ(214)の駆動部(220)と係合可能であって、ハンドル(212)にロックされたトリガ(214)のロックを解除できるように回転可能であり、
前記トリガ(214)は、トリガ(214)がクレビス(226)と係脱可能に係合される第１の位置と、トリガ(214)とクレビス(226)との係合が解除される第２の位置との間で回動可能であり、
前記ハンドル(212)の前記閉位置から前記開位置への移動は、トリガ(214)の駆動部(220)に係合させたキー(222)を回転させてトリガ(214)のロックを解除したのちに、ハンドル(212)を回転させることによって行われる、ラッチ。
【請求項２】
キー(222)は、トリガ(214)の駆動部(220)を１／４回転させると、トリガ(214)をハンドル(212)から外すことができるよう構成される、請求項１のラッチ。
【請求項３】
キーは(222)、駆動部(220)がピン(216)に当たって停止するまで、駆動部(220)をトリガスプリング(218)に抗してトグルするよう構成される、請求項２のラッチ。
【請求項４】
ソケットはＤ字形状のソケットである、請求項３のラッチ。
【請求項５】
キー(222)は１／４回転キーである、請求項３のラッチ。
【請求項６】
キー(222)は、ハンドルが開位置にあるとき、ソケットと係合したままとなるように構成される、請求項３のラッチ。
【請求項７】
ハンドル(212)がその開位置からその閉位置まで移動すると、キー(222)が回転してトリガ(214)をロックするよう構成される、請求項３のラッチ。
【請求項８】
トリガ(214)は上面部を含み、ソケットは前記上面部の内部に形成される、請求項６のラッチ。
【請求項９】
トリガ(214)は、上面部から延びる少なくとも１つのつめ部を含み、トリガ(214)がその第１の位置にあるとき、クレビス(226)と係脱可能に係合するよう構成される、請求項８のラッチ。
【請求項１０】
係合部材(224)はフックである、請求項１のラッチ。
【請求項１１】
第１端部、前記第１端部に対向する第２端部、及びクレビス(326)に係脱可能に係合するように構成された係合部材(324)を前記第２端部に有する本体(311)と、
第１端部及び前記第１端部に対向する第２端部を有するハンドル(312)と、
ピン(325)を介してハンドル(312)に取り付けられ、トリガスプリング(318)が巻回されたピン(316)を有するトリガ(314)と、を含み、
前記ハンドル(312)は、その第１端部が、本体(311)の第１端部に回転可能に取り付けられ、ハンドル(312)が本体(311)に取外し可能に保持される閉位置と、ハンドル(312)が本体(311)から引き込められた開位置との間で移動可能であり、
前記トリガ(314)は、キー(322)を収容できるサイズ及び形状であるソケットを有する駆動部(320)と、トリガ(314)の底部でピン(316)より上方に配置されたスライド(321)とを含み、
前記キー(322)は、トリガ(314)の駆動部(320)と係合可能で、スライド(321)で停止することができるようにしており、
前記スライド(321)は、第１の位置から、ハンドル(312)の第２端部の方にある第２の位置まで、トリガ(314)に関して摺動可能に移動可能であり、
前記トリガ(314)は、トリガ(314)がクレビス(326)と係脱可能に係合される第１の位置と、トリガ(314)とクレビス(326)との係合が解除される第２の位置との間で移動可能であり、
前記ハンドル(312)の前記閉位置から前記開位置への移動は、トリガ(314)の駆動部(320)に係合させたキー(322)をハンドル(312)の第２端部に向かって押すことで、スライド(312)を移動させてトリガ(314)のロックを解除したのちに、ハンドル(312)を回転させることによって行われる、ラッチ。
【請求項１２】
ソケットは涙形状のソケットであり、キー(322)は涙形状の端部を含む、請求項１１のラッチ。
【請求項１３】
キー(322)は、ハンドル(312)が開位置にあるとき、ソケットと係合したままとなるように構成される，請求項１１のラッチ。
【請求項１４】
ハンドル(312)がその開位置からその閉位置に移動されると、キー(322)が、ハンドル(312)の第１端部の方へ移動してトリガ(314)をロックするよう構成される、請求項１１のラッチ。
【請求項１５】
トリガ(314)は上面部を含み、ソケットは前記上面部の中に形成される、請求項１１のラッチ。
【請求項１６】
トリガ(314)は、上面部から延びる少なくとも１つのつめ部を含み、トリガ(314)がその第１の位置にあるとき、クレビス(326)と係脱可能に係合するよう構成される、請求項１５のラッチ。
【請求項１７】
係合部材(324)はフックである、請求項１１のラッチ。
【発明の詳細な説明】
【技術分野】
【０００１】
＜関連出願の記載＞
本願は、共同所有された同時継続中の（ｉ）２０１５年４月３日に出願された米国仮特許出願第６２／１４２，６０２号「トリガにツール用凹部を有するラッチ」；（ｉｉ）２０１５年１０月１６日に出願された米国仮特許出願第６２／２４２，６５６号「トリガに９０度ツール用凹部を有するラッチ」；（ｉｉｉ）２０１５年４月３日に出願された米国仮特許出願第６２／１４２，６０１号「４分の１回転キー／フラッグシステムを有するフックラッチ」；及び（ｉｖ）２０１５年５月５日に出願された米国仮特許出願第６２／１５７，１９７号「特別なキー−フラッグシステムを有するフックラッチ」の利益を主張し、これらの仮特許出願はその全体が引用を以て本願に記載加入されるものとする。
【０００２】
＜発明の技術分野＞
本発明は、ラッチに関し、より具体的には、トリガにツール用凹部(tool recess)を有するフックラッチに関する。
【背景技術】
【０００３】
＜先行技術の背景＞
ハッチ、ドア、アクセスパネル、エンジンカウリング、ナセル、及びレドームなどの航空宇宙用車両の外面に取り付けられた着脱可能かつ移動可能な要素は、ラッチを使用する。ラッチに取り付けられたハンドルは、前記要素を開閉するために使用される。
【発明の概要】
【０００４】
＜発明の開示＞
一実施形態では、第１端部、前記第１端部に対向する第２端部、及びクレビスに係脱可能に係合するように構成された係合部材を前記第１端部に有する本体と、第１端部及び前記第１端部に対向する第２端部を有するハンドルと、前記ハンドルに回動可能に取り付けられたトリガと、を含み、
前記ハンドルは、本体の第１端部に回転可能に取り付けられ、ハンドルが本体に取外し可能に保持される閉位置と、ハンドルが本体から引き込められた開位置との間で移動可能であり、前記トリガは、クレビスと係脱可能に係合される第１の位置と、クレビスとの係合が解除される第２の位置との間で回動可能であり、前記トリガは、該トリガをその第１の位置からその第２の位置へ回動させるためのツールを収容するサイズ及び形状に形成された凹部を含む。
【０００５】
一実施形態において、凹部は、長方形、正方形、円形、十字形、三角形、菱形及び星形からなる群から選択される形状を含む。一実施形態では、トリガは上面部(top portion)を含み、前記凹部は上面部の中に形成されている。一実施形態では、ハンドルが閉位置にあるとき、凹部はハンドルに対して９０度の角度でツールを受け入れられるように構成される。一実施形態では、ハンドルが閉位置にあるとき、凹部はハンドルに対して斜めの角度でツールを受け入れられるよう構成される。
【０００６】
一実施形態において、トリガは、上面部から延びる少なくとも１つのつめ部(detent)を含み、トリガが第１の位置にあるとき、クレビスと係脱可能に係合するよう構成される。一実施形態では、トリガはトリガスプリングを含む。一実施形態では、係合部材はフックである。一実施形態では、ツールはスクリュードライバーである。
【０００７】
別の実施形態において、ラッチは、第１端部、前記第１端部に対向する第２端部、及びクレビスに係脱可能に係合するように構成された係合部材を前記第１端部に有する本体と、第１端部及び前記第１端部に対向する第２端部を有するハンドルと、トリガスプリングを有するピンによって前記ハンドルに取り付けられたトリガと、を含み、前記ハンドルは、本体の第１端部に回転可能に取り付けられ、ハンドルが本体に取外し可能に保持される閉位置と、ハンドルが本体から引き込められた開位置との間で移動可能であり、前記トリガは、キーを収容できるサイズ及び形状であるソケットを有する駆動部(drive)を含み、トリガがクレビスと係脱可能に係合している第１の位置と、トリガとクレビスとの係合が解除される第２の位置との間で回動可能であり、前記ハンドルは、キーを駆動部と係合させると、閉位置から開位置に移動されるよう構成され、トリガは第１の位置から第２の位置へ容易に移動されることができる。
【０００８】
一実施形態では、キーは、駆動部を１／４回転させると、駆動部がハンドルから外れるよう構成される。一実施形態において、キーは、駆動部がピンに当たって停止するまで、駆動部をトリガスプリングに抗してトグル(toggle)するよう構成され、また、キーは、ハンドルの第２端部に向けて押すと、トリガをその第２の位置に移動させることができるよう構成される。一実施形態では、ソケットはＤ字形状のソケットである。一実施形態では、キーは１／４回転キーである。一実施形態では、キーは、ハンドルが開位置にあるとき、ソケットと係合したままとなるように構成される。一実施形態では、ハンドルがその閉位置から開位置まで移動すると、キーが回転してトリガをロックするように構成される。一実施形態では、トリガは上面部を含み、ソケットは前記上面部の内部に形成される。一実施形態では、トリガは、上面部から延びる少なくとも１つのつめ部を含み、トリガが第１の位置にあるとき、クレビスと係脱可能に係合するように構成される。一実施形態では、係合部材はフックである。
【０００９】
一実施形態において、第１端部、前記第１端部に対向する第２端部、及びクレビスに係脱可能に係合するように構成された係合部材を前記第１端部に有する本体と、第１端部及び前記第１端部に対向する第２端部を有するハンドルと、トリガスプリングを有するピンによって前記ハンドルに取り付けられたトリガとを含み、前記ハンドルは、本体の第１端部に回転可能に取り付けられ、ハンドルが本体に取外し可能に保持される閉位置と、ハンドルが本体から引き込められた開位置との間で移動可能であり、前記トリガは、キーを収容できるサイズ及び形状であるソケットを有する駆動部と、トリガの底部でピンより上方に配置されたスライドとを含み、前記スライドは、第１の位置から、ハンドルの第２端部の方にある第２の位置まで、トリガに関して摺動可能に移動可能であり、前記トリガは、トリガがクレビスと係脱可能に係合される第１の位置と、トリガとクレビスとの係合が解除される第２の位置との間で移動可能であり、前記ハンドルは、キーを駆動部と係合させると、閉位置から開位置に移動されるよう構成され、トリガはその第１の位置からその第２の位置へ容易に移動されることができ、スライドがその第１の位置からその第２の位置へ移動して、スライドはハンドルから外れることができる。
【００１０】
一実施形態において、ソケットは涙形状のソケットであり、キーは涙形状の端部を含む。一実施形態では、キーは、ハンドルが開位置にあるとき、ソケットと係合したままとなるように構成される。一実施形態では、ハンドルがその閉位置から開位置に移動されると、キーが、ハンドルの第１端部の方へ移動してトリガをロックするよう構成される。一実施形態では、トリガは上面部を含み、ソケットは上面部の中に形成される。一実施形態では、トリガは、上面部から延びる少なくとも１つのつめ部を含み、トリガが第１の位置にあるとき、クレビスと係脱可能に係合するよう構成される。一実施形態では、係合部材はフックである。
【図面の簡単な説明】
【００１１】
【図１】図１は、ラッチの一実施形態の上面斜視図である。
【００１２】
【図２Ａ】図２Ａは、図１に示すラッチの側面図であって、ラッチの動作を順次示す図の一部である。
【図２Ｂ】図２Ｂは、図１に示すラッチの側面図であって、ラッチの動作を順次示す図の一部である。
【図２Ｃ】図２Ｃは、図１に示すラッチの側面図であって、ラッチの動作を順次示す図の一部である。
【図２Ｄ】図２Ｄは、図１に示すラッチの側面図であって、ラッチの動作を順次示す図の一部である。
【図２Ｅ】図２Ｅは、図１に示すラッチの側面図であって、ラッチの動作を順次示す図の一部である。
【００１３】
【図３】図３は、ラッチの別の実施形態の上面斜視図である。
【００１４】
【図４Ａ】図４Ａは、図３に示すラッチの側面図であって、ラッチの動作を順次示す図の一部である。
【図４Ｂ】図４Ｂは、図３に示すラッチの側面図であって、ラッチの動作を順次示す図の一部である。
【図４Ｃ】図４Ｃは、図３に示すラッチの側面図であって、ラッチの動作を順次示す図の一部である。
【図４Ｄ】図４Ｄは、図３に示すラッチの側面図であって、ラッチの動作を順次示す図の一部である。
【図４Ｅ】図４Ｅは、図３に示すラッチの側面図であって、ラッチの動作を順次示す図の一部である。
【００１５】
【図５】図５は、ラッチの別の実施形態の上面斜視図である。
【００１６】
【図６】図６は、図５に示すラッチの底面斜視図である。
【００１７】
【図７Ａ】図７Ａは、図５に示すラッチの側面図であって、ラッチの動作を順次示す図の一部である。
【図７Ｂ】図７Ｂは、図５に示すラッチの側面図であって、ラッチの動作を順次示す図の一部である。
【図７Ｃ】図７Ｃは、図５に示すラッチの側面図であって、ラッチの動作を順次示す図の一部である。
【図７Ｄ】図７Ｄは、図５に示すラッチの側面図であって、ラッチの動作を順次示す図の一部である。
【００１８】
【図８】図８は、ラッチの別の実施形態の上面斜視図である。
【００１９】
【図９】図９は、図８に示すラッチの底面斜視図である。
【００２０】
【図１０Ａ】図１０Ａは、図８に示すラッチの側面図であって、ラッチの動作を順次示す図の一部である。
【図１０Ｂ】図１０Ｂは、図８に示すラッチの側面図であって、ラッチの動作を順次示す図の一部である。
【図１０Ｃ】図１０Ｃは、図８に示すラッチの側面図であって、ラッチの動作を順次示す図の一部である。
【図１０Ｄ】図１０Ｄは、図８に示すラッチの側面図であって、ラッチの動作を順次示す図の一部である。
【発明を実施するための形態】
【００２１】
図１を参照すると、一実施形態において、ラッチ１０は、第１端部１３と、第１端部１３に対向する第２端部１５とを有する本体１１と、前記本体１１の第１端部１３に回転可能（回動可能）に取り付けられたハンドル１２を含む。一実施形態において、ハンドル１２は、ハンドル１２が本体１１に取外し可能に保持される閉位置と、ハンドル１２が本体１１から完全に延びる開位置との間で、本体１１に対して回転する。
【００２２】
図１〜図２Ｅを参照すると、一実施形態において、ハンドル１２は、第１端部１７と、第１端部１７に対向する第２端部１９と、外面２１と、内面２３と、対向する側部部材２５と、を含む。ハンドル１２は、外面２１から内面２３に延びる矩形の開口を含む（図面には示されていない）。
【００２３】
一実施形態では、ハンドル１２の第１端部１７は、対向する側部部材２５を通って延びるハンドルピボットピン４０により本体１１の第１端部１３に回動可能に取り付けられる。一実施形態では、ハンドルピボットピン４０は、ブッシングを含む。一実施形態では、バックスプリング３９がハンドルピボットピン４０を囲み、対向する側部部材２５を通って延びるピンを含むブッシング２７と係合して、ハンドルの閉位置から開位置への移動を容易にする。
【００２４】
一実施形態において、ハンドル１２はトリガ１４を含み、前記トリガは、リベット／ブッシング１６を介してハンドル１２に回転可能（回動可能）に取り付けられる。一実施形態において、トリガ１４は、矩形形状の上面部２９と、一対の対向するつめ部３１とを含み、前記上面部２９は、ハンドル１２の開口部と嵌合する大きさ及び形状であり、前記つめ部３１は、各々が、コップ状の先端部３３とスロット３５を有し、トリガ１４の上面部２９から垂下する。一実施形態において、トリガ１４はトリガスプリング３７を含む。
【００２５】
一実施形態において、トリガ１４は、上面部２９に形成されたツール用凹部１８を含む。一実施形態では、凹部１８は、マイナス型スクリュードライバー(flat-head screw driver)等の外部ツール２０を受け入れることができる大きさ及び形状である。一実施形態において、凹部１８は長方形である。他の実施形態では、凹部１８は、正方形、円形、三角形、菱形、十字形、星形などの他の形状及びサイズであってよい。一実施形態において、本体１１は、第１端部にフック２２を含み、クレビス２４と係脱可能に係合する。他の実施形態において、本体１１は、クレビス２４と係脱可能に係合するよう構成された他の種類の把持部材又はロック部材を含む。一実施形態において、トリガ１４のつめ部３１のスロット３５は、ハンドル１２がその閉位置にあるとき、クレビス２４と係合するように構成される。
【００２６】
図２Ａ〜２Ｅを参照すると、一実施形態では、ラッチ１０は、以下の要領にてその閉位置から係合解除される。最初に、ツール２０は、所定位置から移動し、トリガ１４の凹部１８と係合して停止する（図２Ａ及び２Ｂ）。一実施形態では、ツール２０は、トリガ１４の上面部２９及び凹部１８に対して斜めに挿入される。ツール２０が、ハンドル１２の第２端部１９に向けて回転されると、トリガ１４は第１の係合位置から第２の係合解除位置に回転して、トリガ１４のつめ部３１がクレビス２４から外れて、ハンドル１２は自由移動位置に降下する（図２Ｃ及び図２Ｄ参照）。なお、留意すべきことは、ツール２０は直接トリガ１４と相互作用するだけで、トリガ１４がクレビス２４から外れて、ハンドル１２は自由移動位置に降下することである。ツール２０がトリガ１４の凹部１８から取り除かれると、トリガスプリング３７によりトリガ１４は第１の位置に戻され、ハンドル１２は全開位置に回転させられ、フック２２がクレビス２４から外れる（図２Ｅ参照）。
【００２７】
本発明に従って構成されたラッチの代替的な実施形態が、図３〜図４Ｅに示されている。考察と検討を容易にするために、図３〜図４Ｅに示されたすべての要素は、図１〜図２Ｅに記載した対応する要素の参照符号に１００を増加した参照符号によって示されている。図３乃至図４Ｅに示す実施形態では、以下の記載以外は、図１乃至図２Ｅに示されたラッチ１０と同様に構成され、作動する。
【００２８】
図３を参照すると、別の実施形態において、ラッチ１１０は、開位置と閉位置との間で回転可能なハンドル１１２と、リベット／ブッシング１１６を介してハンドル１１２に取り付けられたトリガ１１４と、を含む。一実施形態において、トリガ１１４にはツール用凹部１１８が形成され、前記凹部１１８は、マイナス型スクリュードライバー等の外部ツール１２０を受け入れることができる大きさ及び形状である。一実施形態では、ツール用凹部１１８のトリガ１１４内での大きさ、形状及び位置は、外部ツール１２０が最初に凹部１１８に入れられたとき、ツール１２０の長軸が、ハンドル１１２が閉位置にあるときのハンドル１１２とトリガ１１４に対して９０度の位置となるように構成される。一実施形態では、ラッチ１１０は、クレビス１２４と係合するフック１２２を含む。
【００２９】
図４Ａ〜図４Ｅを参照すると、ラッチ１１０は、以下の要領にて、閉位置から開位置に移動する。まず最初に、ツール１２０は、所定位置から移動し、トリガ１１４の凹部１１８と係合して停止する（図４Ａ及び４Ｂ）。再び、ツール１２０の長軸の位置は、ハンドル１１２がその閉位置にあるときのハンドル１１２とトリガ１１４に対して９０度である。次に、ツール１２０をハンドル１１２の第２端部１１９の方に向けて回転させると、トリガ１１４はクレビス１２４から外れて、ハンドル１１２は自由移動位置に降下する（図４Ｃ及び４Ｄ参照）。なお、留意すべきことは、ツール１２０は直接トリガ１１４と相互作用するだけで、トリガ１１４がクレビス１２４から外れて、ハンドル１１２は自由移動位置に降下することである。ツール１２０が取り除かれると、ハンドル１１２は全開位置に回転させられ、フック１２２がクレビス１２４から外れる（図４Ｅ参照）。
【００３０】
本発明に従って構成されたラッチの代替的な実施形態が、図５〜図７Ｄに示されている。図５〜図７Ｄに示される実施形態は、以下の記載を除いて、図１乃至図４Ｅに示されたラッチ１０、１１０と同様に構成され、作動する
【００３１】
図５及び図６を参照すると、別の実施形態において、ラッチ２１０は、本体２１１と、回転可能（回動可能）に取り付けられたハンドル２１２とを含み、前記ハンドルは、開放位置と閉位置との間で回転可能であり、トリガ２１４がピン２２５を介してハンドル２１２に取り付けられ、ピン２１６の周りにはトリガスプリング２１８が巻回されている。一実施形態では、トリガ２１４には駆動部２２０が埋設されており、前記駆動部２２０は、キー２２２を受け入れることができるサイズ及び形状のソケットを有する。一実施形態において、ソケットは「Ｄ」型ソケットである。一実施形態では、キー２２２は１／４回転キーである。一実施形態において、ラッチ２１０は、クレビス２２６と係合するフック２２４を含む。別の実施形態では、ラッチ２１０は、クレビス２２６と係合するように構成された他の種類の把持部材又はロック部材を含む。
【００３２】
図７Ａ〜図７Ｄを参照すると、一実施形態において、ラッチ２１０の閉位置から開位置への移動は、キー２２２が駆動部２２０と係合する前に、まず最初に、キー２２２を駆動部２２０と一直線上に揃えることによって行われる。キー２２２が駆動部２２０と完全に係合すると、キー２２２を反時計回りに４分の１回転させてトリガ２１４のロックを解除する（すなわち、駆動部２２０がハンドル２１２から外れる）と共に、駆動部２２０がピンに当たって停止するまで、駆動部２２０をトリガスプリング２１８に抗してトグルする。この位置にある間、キー２２２がハンドル２１２の前面に向かって押されることにより、トリガ２１４とクレビス２２６との係合が解除される。このようにして、ハンドル２１２は自由移動位置まで回転する。次いで、ハンドル２１２を回転させると、フック２２４とクレビスとの係合が解除され、ハンドルは全開位置で停止する。
【００３３】
ラッチ２１０を全開位置から閉じるために、ハンドル２１２を、フック２２４とトリガ２１４が両方ともクレビス２２６に係合するまで回転させる。次いで、キー２２２が時計方向に１／４回転させると、キー２２２が引き出されるようになる前にトリガ２１４がロックされる。
【００３４】
本発明に従って構成されたラッチの別の実施形態が図８〜図１０Ｄに示されている。考察と検討を容易にするために、図８〜図１０Ｄに示されているか否かに拘わらず、すべての要素は、図６〜図７Ｄに記載した対応する要素の参照符号に１００を増加した参照符号によって示されている。図８乃至図１０Ｄに示す実施形態は、以下の記載以外は、図６乃至図７Ｄに示されたラッチ２１０と同様に構成され、作動する。
【００３５】
図８及び図９を参照すると、別の実施形態において、ラッチ３１０は、本体３１１を含み、前記本体３１１は、該本体に回転可能（回動可能）取り付けられたハンドル３１２を有する。一実施形態において、ハンドル３１２は、開位置と閉位置との間で回転可能である。トリガ３１４は、ピン３２５を介してハンドル３１２に取り付けられ、ピン３１６の周りにはトリガスプリング３１８が巻回されている。一実施形態において、トリガ３１４は、その中に埋め込まれた駆動部３２０を含み、前記駆動部３２０は、キー３２２を収容できるサイズ及び形状に形成されたソケットを有する。一実施形態では、ソケットは「涙滴(tear drop)」形状のソケットであり、キー３２２は涙滴形状の端部３２３を有する。一実施形態では、キー３２２は細長い形状である。一実施形態では、スライド３２１は、トリガ３１４に埋め込まれ、トリガ３１４の底部でピン３１６より上に配置される。一実施形態では、スライド３２１は、トリガ３１４に対して第１の位置から第２の位置へ摺動自在に移動可能である。一実施形態では、ラッチ３１０は、クレビス３２６と係合するフック３２４を含む。
【００３６】
図１０Ａ〜図１０Ｄを参照すると、一実施形態において、ラッチ３１０は、図１０Ａに示されるように、まず最初に、キー３２２が駆動部３２０と係合する前に、キー３２２をトリガ３１４の駆動部３２０と整列させることにより閉位置から開位置に移動する。キー３２２が駆動部３２０と完全に係合し、スライド３２１によって停止されると、図１０Ｂに示されるように、キー３２２はハンドル３１２の前部に向かってわずかに押されて、スライド３２１が第１の位置から第２の位置に移動し、スライド３２１はハンドル３１２から解放され、トリガ３１４のロックが解除される。この位置にある間、キー３２２は、ハンドル３１２の前部に向かって前方に移動され、トリガ３１４とクレビス３２６との係合が解除される。キー３２２は、依然として、トリガ３１４の駆動部３２０の中にある。このようにして、ハンドル３１２は、自由移動位置に回転する。次いで、ハンドル３１２が回転されると、フック３２４はクレビス３２６から外れて、フック３２４は全開位置で停止する。キー３２２は、依然として、トリガ３１４の駆動部３２０の中にある。
【００３７】
ラッチ３１０を全開位置から閉じるために、ハンドル３１２が、フック３２４とトリガ３１４の両方がクレビス３２６に係合するまで回転される。キー３２２は、次に、ハンドル３１２の背後に向けて押される。そして、キー３２２は、引き出されることが可能な状態になる前に、停止してトリガ３１４をロックする。
【００３８】
本明細書に記載された実施形態は単なる例示であり、当業者であれば本発明の精神及び範囲から逸脱することなく多くの変更及び変形を行うことができることは理解されるべきである。そのような変更及び変形のすべては、本発明の範囲内に含まれるものとする。
【図１】
0006494791.tif 000002
【図２Ａ】
0006494791.tif 000003
【図２Ｂ】
0006494791.tif 000004
【図２Ｃ】
0006494791.tif 000005
【図２Ｄ】
0006494791.tif 000006
【図２Ｅ】
0006494791.tif 000007
【図３】
0006494791.tif 000008
【図４Ａ】
0006494791.tif 000009
【図４Ｂ】
0006494791.tif 000010
【図４Ｃ】
0006494791.tif 000011
【図４Ｄ】
0006494791.tif 000012
【図４Ｅ】
0006494791.tif 000013
【図５】
0006494791.tif 000014
【図６】
0006494791.tif 000015
【図７Ａ】
0006494791.tif 000016
【図７Ｂ】
0006494791.tif 000017
【図７Ｃ】
0006494791.tif 000018
【図７Ｄ】
0006494791.tif 000019
【図８】
0006494791.tif 000020
【図９】
0006494791.tif 000021
【図１０Ａ】
0006494791.tif 000022
【図１０Ｂ】
0006494791.tif 000023
【図１０Ｃ】
0006494791.tif 000024
【図１０Ｄ】
0006494791.tif 000025